(57)【要約】【課題】電池蓋の両側板部とキャビネット本体の両側板部とが位置ずれを生ずることのない小型電子機器を提供する。【解決手段】本発明に係る小型電子機器は、電池収納室Ｒが形成されたキャビネット本体14と、電池収納室Ｒに収納されるべき電池42と電池収納室Ｒを覆うべき電池蓋41とを一体化してなる電池パック４とを具え、キャビネット本体14に対して電池蓋41が着脱操作可能に係合している。電池パック４の電池蓋41は、電池収納室Ｒの開口形状に応じた矩形の主板部45と、該主板部45の両側端に突設されてキャビネット本体14の両側板部11,11と突き合わされるべき側板部46,46とを具えると共に、両側板部46,46の内側には、キャビネット本体14に対する電池蓋41の係合状態でキャビネット本体14の両側板部11,11の内側へ嵌入すべき少なくとも２つのリブ47,47が突設されている。【選択図】図６
2008251455.tif 000002
【特許請求の範囲】
【請求項１】
電池収納室Ｒが形成されたキャビネット本体(14)と、前記電池収納室Ｒに収納されるべき電池(42)と電池収納室Ｒを覆うべき電池蓋(41)とを一体化してなる電池パック(４)とを具え、前記キャビネット本体(14)に対して電池蓋(41)が着脱操作可能に係合している小型電子機器において、前記電池パック(４)の電池蓋(41)は、前記電池収納室Ｒの開口形状に応じた矩形の主板部(45)と、該主板部(45)の両側端に突設されて前記キャビネット本体(14)の両側板部(11)(11)と突き合わされるべき側板部(46)(46)とを具えると共に、両側板部(46)(46)の内側には、前記キャビネット本体(14)に対する電池蓋(41)の係合状態で前記キャビネット本体(14)の両側板部(11)(11)の内側へ嵌入すべき少なくとも２つのリブ(47)(47)が突設されていることを特徴とする小型電子機器。
【請求項２】
前記電池パック(４)の電池(42)と電池蓋(41)とは互いに超音波溶接によって接合されている請求項１に記載の小型電子機器。
【請求項３】
前記電池パック(４)の電池蓋(41)は合成樹脂製であって、前記少なくとも２つのリブ(47)(47)が一体に形成されている請求項１又は請求項２に記載の小型電子機器。
【発明の詳細な説明】
【技術分野】
【０００１】
本発明は、携帯電話機などの小型電子機器に関するものである。
【背景技術】
【０００２】
従来の携帯電話機においては、図７に示す如く、電池(90)と合成樹脂製の電池蓋(91)とが一体化された電池パック(９)が多く使用されている(特許文献１、２、３)。電池蓋(91)は、主板部(92)と、主板部(92)の両端部に突設された２枚の側板部(93)(93)とを具えている。ここで、電池(90)と電池蓋(91)の主板部(92)とが超音波溶接によって接合されることにより、電池(90)と電池蓋(91)とが一体化されている。
【０００３】
図８に示す如く、携帯電話機のキャビネット本体(94)は、その両端部に２つの側板部(95)(95)を具えている。携帯電話機のキャビネット本体(94)には、前記電池パック(９)が収容される。
【特許文献１】特開２０００−３４０１９６号公報
【特許文献２】特開２００２−２５５２１号公報
【特許文献２】特開２００４−１２０１４０号公報
【発明の開示】
【発明が解決しようとする課題】
【０００４】
しかしながら、超音波溶接により電池(90)と電池蓋(91)とを一体化した電池パック(９)においては、超音波溶接時に電池蓋(91)の両側板部(93)(93)が外側に開くことがある。この場合、電池パック(９)を携帯電話機のキャビネット本体(94)に装着したときに、電池蓋(91)の側板部(93)(93)とキャビネット本体(94)の側板部(95)(95)とが互いに位置ずれを生じるという問題があった。
【０００５】
本発明は、電池蓋の両側板部とキャビネット本体の両側板部とが位置ずれを生ずることのない小型電子機器を提供することを目的とする。
【課題を解決するための手段】
【０００６】
本発明の小型電子機器は、電池収納室Ｒが形成されたキャビネット本体(14)と、前記電池収納室Ｒに収納されるべき電池(42)と電池収納室Ｒを覆うべき電池蓋(41)とを一体化してなる電池パック(４)とを具え、前記キャビネット本体(14)に対して電池蓋(41)が着脱操作可能に係合している。前記電池パック(４)の電池蓋(41)は、前記電池収納室Ｒの開口形状に応じた矩形の主板部(45)と、該主板部(45)の両側端に突設されて前記キャビネット本体(14)の両側板部(11)(11)と突き合わされるべき側板部(46)(46)とを具えると共に、両側板部(46)(46)の内側には、前記キャビネット本体(14)に対する電池蓋(41)の係合状態で前記キャビネット本体(14)の両側板部(11)(11)の内側へ嵌入すべき少なくとも２つのリブ(47)(47)が突設されている。
【０００７】
具体的構成において、前記電池パック(４)の電池(42)と電池蓋(41)とは互いに超音波溶接によって接合されている。
【０００８】
上記本発明の小型電子機器によれば、キャビネット本体(14)に電池パック(４)が装着された時に、前記リブ(47)が前記キャビネット本体(14)の前記側板部(11)の内側に嵌入されることによって、前記電池蓋(41)の側板部(46)(46)が内側に押し戻されて、電池蓋(41)の側板部(46)(46)とキャビネット本体(14)の両側板部(11)(11)との位置ずれが解消される。
【０００９】
他の具体的構成において、前記電池パック(４)の電池蓋(41)は合成樹脂製であって、前記少なくとも２つのリブ(47)(47)が一体に形成されている。
【発明の効果】
【００１０】
本発明の小型電子機器によれば、電池パックをキャビネット本体に装着する際に電池蓋の両側板部の位置が矯正されて、電池蓋の両側板部とキャビネット本体の両側板部との間の位置ずれが解消される。
【発明を実施するための最良の形態】
【００１１】
以下、本発明を折り畳み式携帯電話機に実施した形態につき、図面に沿って説明する。
本発明に係る折り畳み式携帯電話機においては、図１に示す如く、操作側筐体(１)と表示側筐体(２)とが、ヒンジ機構(３)を介して、互いに開閉可能に連結されている。
【００１２】
前記操作側筐体(１)は電池パック(４)を具え、前記表示側筐体(２)との対向面に、複数の操作釦(図示省略)が配備されている。該表示側筐体(２)には、該操作側筐体(１)との対向面に、メインディスプレイ(図示省略)が配備されると共に、該表示側筐体(２)の背面にはサブディスプレイ(20)が配備されている。
【００１３】
本発明の折り畳み式携帯電話機は、図２に示す如く、操作側筐体(１)のキャビネット本体(14)に、電池収納室Ｒと、電池収納室Ｒの両端部に突設された２枚の側板部(11)(11)とを具えている。又、該キャビネット本体(14)は、該電池収納室Ｒを挟んで両側に、アンテナ基板(５)と高周波基板(６)とを配備している。アンテナ基板(５)と高周波基板(６)とは、同軸ケーブル(７)によって電気的に互いに接続されている。
【００１４】
電池収納室Ｒには中央部に開口(81)を有するステンレス鋼製の支持板(８)が設置されている。該支持板(８)の両端部には、２つの第１連結片(82)(82)と２つの第２連結片(83)(83)とが突設され、該２つの第１連結片(82)(82)は高周波基板(６)に連結され、該２つの第２連結片(83)(83)はアンテナ基板(５)に連結されている。該支持板(８)は、第１連結片(82)(82)及び第２連結片(83)(83)を介して、アンテナ基板(５)と高周波基板(６)とを支持している。又、支持板(８)と電池収納室Ｒの底部との間には同軸ケーブル(７)が設置されている。
【００１５】
アンテナ基板(５)には、アンテナ基板カバー(13)が被せられている。高周波基板(６)には、高周波基板カバー(12)が被せられている。高周波基板カバー(12)の端部には２つの舌片(15)(15)が突設されており、該２つの舌片(15)(15)はヒンジ機構(３)を覆っている。
【００１６】
キャビネット本体(14)の電池収納室Ｒには、支持板(８)を介して、電池パック(４)が着脱操作可能に収納されている。該電池蓋(41)の端部には、２つの爪片(17)(17)が突設されており、高周波基板カバー(12)の電池収納室Ｒに面する端面に設けられた２つの接続孔(図示省略)に挿入されている。また、アンテナ基板カバー(13)は、電池パック(４)をロックすべきロック機構(16)を有し、該ロック部(16)は電池パック(４)を着脱操作可能にロックしている。
【００１７】
電池パック(４)は、図３に示す如く、電池(42)と、超音波溶接によって電池(42)に接合された電池蓋(41)とから構成されている。電池(42)は、電池本体(43)と、電池本体(43)を格納する電池ケース(44)とから構成されている。電池蓋(41)は、電池(42)と超音波溶接される主板部(45)と、主板部(45)の両端に接続された２つの側板部(46)(46)とを有している。主板部(45)の端部には、高周波基板カバー(12)の２つの接続孔に挿入されるべき２つの爪片(17)(17)が突設されている。
【００１８】
電池蓋(41)の内面には、図４及び図５に示す如く、各側板部(46)の内側に２つのリブ(47)(47)が突設されている。図６(ａ)に示す如く、リブ(47)は、電池パック(４)が電池収納室Ｒに装着されたときに、キャビネット本体(14)の両側板部(11)(11)の内側に嵌入する。キャビネット本体(14)の両側板部(11)(11)には、図６(ｂ)に示す如く、各側板部(11)の端部に、リブ(47)と係合する突片(18)がそれぞれ突設されている。リブ(47)と突片(18)との係合によって、突片(18)がリブ(47)を押圧し、その結果、電池蓋(41)の両側板部(46)(46)が内側に押し込まれて、電池蓋(41)の両側板部(46)(46)とキャビネット本体(14)の両側板部(11)(11)との間の位置ずれが解消される。
【００１９】
リブ(47)の形状はくさび形をしていることが望ましい、また、リブ(47)は、リブ(47)と突片(18)との係合部に、図５に示す如く、キャビネット本体(14)の側板部(11)を導くガイド機能を発揮する斜面Ｓを形成することが望ましい。
【００２０】
尚、本発明の各部構成は上記実施の形態に限らず、特許請求の範囲に記載の技術的範囲内で種々の変形が可能である。上記実施の形態においては、本発明の小型電子機器を折り畳み式携帯電話機に実施した形態について説明したが、これに限定するものではなく、ＰＨＳ(パーソナルハンディフォンシステム)、ノート型パーソナルコンピューターなどの小型電子機器にも実施可能である。
【図面の簡単な説明】
【００２１】
【図１】本発明に係る折り畳み式携帯電話機の斜視図である。
【図２】該折り畳み式携帯電話機の操作側筐体の分解斜視図である。
【図３】電池パックの分解斜視図である。
【図４】電池蓋の内面を示す斜視図である。
【図５】図４のＡ部を拡大した斜視図である。
【図６】リブと突片との係合によって、電池蓋の側板部の位置が矯正される過程を示す断面図である。
【図７】電池蓋と電池とが超音波溶接される過程を示す斜視図である。
【図８】超音波溶接により電池蓋の両側板部が外側に開いた状態を示す断面図である。
【符号の説明】
【００２２】
(１)  操作側筐体
(11)  側板部
(14)  キャビネット本体
(18)  突片
(４)  電池パック
(41)  電池蓋
(42)  電池
(43)  電池本体
(44)  電池ケース
(45)  主板部
(46)  側板部
(47)  リブ
(５)  アンテナ基板
(６)  高周波基板
(７)  同軸ケーブル
(８)  支持板
(81)  開口
Ｒ  電池収納室
Ｓ  斜面
【図１】
2008251455.tif 000003
【図２】
2008251455.tif 000004
【図３】
2008251455.tif 000005
【図４】
2008251455.tif 000006
【図５】
2008251455.tif 000007
【図６】
2008251455.tif 000008
【図７】
2008251455.tif 000009
【図８】
2008251455.tif 000010